(57)【特許請求の範囲】
【請求項１】
複数の加入者端末装置が光スプリッタを介してスター接続される局舎装置に用いられ、加入者端末装置からのバースト光信号を受信する光受信器であって、
加入者端末装置からの光信号を電気信号に変換するＯＥ変換部と、
前記ＯＥ変換部が光信号から変換した電気信号を増幅する電気信号増幅手段と、
前記ＯＥ変換部からの電気信号に同期したクロック信号を生成するクロック信号生成手段と、
前記クロック信号生成手段からのクロック信号をトリガとして前記ＯＥ変換部からの電気信号の論理識別を行う識別手段と、
前記加入者装置の信号送信タイミングの制御を行うと共に、前記識別手段によって論理識別された電気信号についてフレーム検知を行う受信信号処理手段とを有する光受信器において、
前記クロック信号生成手段は、入力電圧に応じて発振周波数が変化する電圧制御発振器であって、
前記電圧制御発振器の出力クロック信号と前記電気信号増幅手段の出力信号との位相差に応じた電圧を発生する位相比較器と、
前記クロック信号生成手段から前記識別手段および前記位相比較器の少なくとも一方へのクロック信号の供給の有無を切り替えるスイッチと、
前記受信信号処理手段に接続され、前記スイッチを制御するクロック供給制御手段とをさらに有し、
前記クロック供給制御手段は、光信号の光受信器への入力がない時間に、前記電圧制御発振器から前記識別手段および前記位相比較器の少なくとも一方へのクロック信号の供給を遮断するように前記スイッチを制御することを特徴とする光受信器。
【請求項２】
前記バースト光信号は、その終了を示すビット列であるＥｏＢを含み、
前記受信信号処理手段は、前記ＥｏＢを検知し、その旨を示すＥｏＢ検知信号を出力するものであると共に、アクセス制御手段を含み、
前記アクセス制御手段は、前記各加入者端末装置からの光信号フレームに各加入者端末装置に固有の認証番号を付与すると共に、当該各光信号フレームの送信タイミングおよびフレーム長を決定し、前記認証番号ならびにバースト光信号の開始時刻と終了時刻を含むＤＢＡ情報を前記各加入者端末装置に通知するものであり、
前記アクセス制御手段は、前記ＤＢＡ情報を前記クロック供給制御手段にも通知するものであり、
前記クロック供給制御手段は、前記アクセス制御手段からの前記ＤＢＡ情報を参照すると共に、前記受信信号処理手段からの前記ＥｏＢ検知信号をトリガとすることにより、前記受信信号処理手段から前記ＥｏＢ検知信号が出力された後に、前記クロック信号生成手段から前記識別手段、または、前記クロック信号生成手段から前記識別手段および前記位相比較器の少なくとも一方へのクロック信号の供給を遮断するように前記スイッチを制御する請求項１に記載の光受信器。
【請求項３】
前記クロック信号生成手段の駆動電圧を制御する電圧制御手段をさらに有し、
前記アクセス制御手段は、前記ＤＢＡ情報を前記電圧制御手段にも通知するものであり、
前記電圧制御手段は、
前記クロック信号生成手段の駆動電圧を監視すると共に、前記アクセス制御手段からの前記ＤＢＡ情報を受け付けるモニタと、
前記モニタで監視した電圧を、前記各加入者端末装置に固有の認証番号に関連付けて記憶する記憶手段と、
任意の電圧を発生させ前記クロック信号生成手段を駆動する電圧発生手段とを備え、
前記電圧発生手段は、前記光受信器へのバースト光信号の入力がない時間に、次に入力されるべきバースト光信号を送信する加入者端末装置の認証番号に対応した電圧で、前記クロック信号生成手段を駆動する請求項２に記載の光受信器。
【請求項４】
前記バースト光信号は、その終了を示すビット列であるＥｏＢと、ペイロードの先頭を示すビット列であるデリミタとを含み、
前記電圧制御手段の前記記憶手段に記憶される前記各加入者端末装置の認証番号に関連付けて記憶される電圧は、当該加入者端末装置が前回送信したバースト光信号の前記ＥｏＢから前記デリミタまでの期間の平均電圧である請求項３に記載の光受信器。
【請求項５】
前記クロック信号生成手段への電源供給の有無を切り替える電源スイッチをさらに有し、
前記クロック供給制御手段は、前記クロック信号生成手段を駆動開始から当該クロックによって光信号を受信可能となるまでの安定化時間以上に前記光受信器への光信号の入力がない場合に、前記クロック信号生成手段の電源供給を遮断するように前記電源スイッチを制御する請求項１乃至４のいずれか一項に記載の光受信器。
【請求項６】
前記識別手段によって論理識別された電気信号をパラレル変換して前記受信信号処理手段に供給するＳ／Ｐ変換手段をさらに有し、
前記クロック供給制御手段は、光信号の光受信器への入力がない時間に、前記電圧制御発振器から前記識別手段、前記位相比較器、および前記Ｓ／Ｐ変換手段の少なくとも１つへのクロック信号の供給を遮断するように前記スイッチを制御する請求項１乃至５のいずれか一項に記載の光受信器。
【請求項７】
加入者端末装置からの、異なる複数のビットレートのバースト光信号に対応して、
複数の前記クロック信号生成手段と、
複数の前記受信信号処理手段と、
複数の前記識別手段と、
複数の前記スイッチと、
複数の前記クロック供給制御手段と、
複数の前記位相比較器とを有し、
前記各クロック供給制御手段は、該当するビットレートの光信号の光受信器への入力がない時間に、
当該ビットレートに対応した前記クロック信号生成手段から前記識別手段および前記位相比較器の少なくとも一方へのクロック信号の供給を遮断するように前記スイッチを制御する請求項１乃至５のいずれか一項に記載の光受信器。
【請求項８】
加入者端末装置からの、異なる複数のビットレートのバースト光信号に対応して、
複数の前記クロック信号生成手段と、
複数の前記受信信号処理手段と、
複数の前記識別手段と、
複数の前記スイッチと、
複数の前記クロック供給制御手段と、
複数の前記位相比較器と、
複数の前記Ｓ／Ｐ変換手段とを有し、
前記各クロック供給制御手段は、該当するビットレートの光信号の光受信器への入力がない時間に、当該ビットレートに対応した前記クロック信号生成手段から前記識別手段、前記位相比較器、および前記Ｓ／Ｐ変換手段の少なくともいずれか１つへのクロック信号の供給を遮断するように前記スイッチを制御する請求項６に記載の光受信器。
【請求項９】
加入者端末装置からの、異なる複数のビットレートのバースト光信号に対応して、
前記クロック信号生成手段としての、複数の位相で並列に供給される多相クロック信号を生成する多相クロック信号生成手段と、
前記受信信号処理手段としてのマルチレート用受信信号処理手段と、
前記識別手段としてのマルチレート用識別手段と、
前記スイッチとしてのマルチレート用スイッチと、
前記クロック供給制御手段としてのマルチレート用クロック供給制御手段と、
前記位相比較器としてのマルチレート用位相比較器とを有し、
前記各マルチレート用クロック供給制御手段は、複数のビットレートのうちの低ビットレートの光信号が光受信器に入力されるときに、
前記多相クロック信号生成手段から前記マルチレート用識別手段および前記位相比較器の少なくとも一方への、多相クロック信号のうちの高ビットレートのクロックのうちの少なくとも一部の供給を遮断するように前記マルチレート用スイッチを制御する請求項１乃至５のいずれか一項に記載の光受信器。
【請求項１０】
加入者端末装置からの、異なる複数のビットレートのバースト光信号に対応して、
前記クロック信号生成手段としての、複数の位相で並列に供給される多相クロック信号を生成する多相クロック信号生成手段と、
前記受信信号処理手段としてのマルチレート用受信信号処理手段と、
前記識別手段としてのマルチレート用識別手段と、
前記スイッチとしてのマルチレート用スイッチと、
前記クロック供給制御手段としてのマルチレート用クロック供給制御手段と、
前記位相比較器としてのマルチレート用位相比較器と、
前記Ｓ／Ｐ変換手段としてのマルチレート用Ｓ／Ｐ変換手段とを有し、
前記各マルチレート用クロック供給制御手段は、複数のビットレートのうちの低ビットレートの光信号が光受信器に入力されるときに、前記多相クロック信号生成手段から前記マルチレート用識別手段、前記位相比較器、および前記Ｓ／Ｐ変換手段の少なくともいずれか１つへの、多相クロック信号のうちの高ビットレートのクロックのうちの少なくとも一部の供給を遮断するように前記マルチレート用スイッチを制御する請求項６に記載の光受信器。
【請求項１１】
複数の加入者端末装置が光スプリッタを介してスター接続される局舎装置であって、請求項１乃至１０のいずれか一項に記載の光受信器と、前記複数の加入者端末装置に光信号を送信する光送信器とを有することを特徴とする局舎装置。
【発明の詳細な説明】
【技術分野】
【０００１】
本発明は、ＰＯＮシステムに適用される局舎装置に関し、特に、複数の加入者端末装置からの光バースト光信号を受信する光受信器に関する。
【背景技術】
【０００２】
温室効果ガス削減や燃料資源節約のため、ネットワークの省電力化が求められている。
【０００３】
現在、ＦＴＴＨ（Fiber To The Home）によるサービスとして、ＰＯＮ（Passive Optical Network）が広く用いられている。ＰＯＮは、図１に示されるように、複数の加入者端末装置（Optical Network Unit：ＯＮＵ）６０１（６０１−１〜６０１−Ｎ）が、光スプリッタ６０２を介して、１つの局舎装置（Optical Line Terminal：ＯＬＴ）６０３に光ファイバで接続されているネットワーク構成となっている。ＰＯＮは、複数のＯＮＵ６０１で、光スプリッタ６０２とＯＬＴ６０３との間の伝送路を共有できることから、経済性に優れた光ネットワークである。
【０００４】
現在、国内では非特許文献１に示す１ＧｂｐｓのＧＥＰＯＮが用いられているが、さらなる広帯域化へ向けて、非特許文献２に示されるように、現在の１０倍の帯域の１０Ｇ−ＥＰＯＮが標準化された。
【０００５】
ＰＯＮシステムの上り信号には、各ＯＮＵ６０１からの信号の衝突を避けるため、バースト伝送技術が用いられている。ＯＬＴ６０３における受信器は、各ＯＮＵ６０１から送信されるバースト光信号に対し、レベル引き込みとクロック同期をとり受信する。
【０００６】
図２に示されるように、バースト光信号は、ＯＬＴ６０３における受信器でのレベル引き込みとクロック同期をとるための固定パタンから成るプリアンブル７０１と、プリアンブル７０１終了を示すデリミタ７０２と、ペイロード７０３と、バースト光信号の終了を示すＥｏＢ（エンド・オブ・バースト）７０４から成る。
【０００７】
新たに導入される１０ＧｂｐｓクラスのＰＯＮでは、１Ｇｂｐｓと１０ＧｂｐｓクラスのＰＯＮを共存するため、ＯＬＴには、１Ｇｂｐｓと１０Ｇｂｐｓの両方に対応可能なデュアルレートバースト光受信器が必要となる。
【０００８】
デュアルレートバースト光受信器の構成例として、例えば、非特許文献３、特許文献２に示される技術がある。このうちの非特許文献３のデュアルレートバースト光受信器では、図３に示されるように、バースト光信号をＡＰＤ（アバランシェ・フォト・ダイオード）８０１で電流に変換し、ＴＩＡ（トランス・インピーダンス・アンプ）８０２で電圧変換および電気信号増幅を行う。その後、ＬＡ（リミッティング・アンプ）８０３で電気信号の振幅を一定にして分岐する。分岐された電気信号は、１Ｇｂｐｓ用、１０Ｇｂｐｓ用のＣＤＲ（クロック・アンド・データ・リカバリ）８０４ａ，８０４ｂならびにＰＣＳ（フィジカル・コーディング・サブレイヤ）ブロック８０５ａ，８０５ｂで処理され、ＭＡＣ（メディア・アクセス・コントロール）ブロック８０６から成る高速ロジック回路に入力される。
【０００９】
図４に示されるように、ＣＤＲ８０４ａ，８０４ｂは、入力された信号からクロック成分を抽出するＰＬＬ（Phase-Locked-Loop）９０１と、ＰＬＬ９０１出力信号で入力信号の論理識別を行うＦＦ（フリップ・フロップ）９０２から成る。ＰＬＬ９０１では、位相比較器９０３によってＶＣＯ（電圧制御発振器）９０５出力と入力信号との位相差を判別し、位相差に応じた電圧を発生させ、ＬＰＦ９０４によって平滑化してＶＣＯ９０５を駆動することでフィードバック制御し、入力バースト光信号に同期したクロックを抽出する。
【００１０】
近年では、非特許文献４に示されるように、多相サンプリング方式を用いることで１Ｇｂｐｓ／１０Ｇｂｐｓ（スクランブルによるオーバーヘッドのため、正確には１．２５Ｇｂｐｓ／１０．３１２５Ｇｂｐｓ）の両方のバースト光信号を１つのＣＤＲで受信可能な、デュアルレートバーストＣＤＲも実現されている。
【００１１】
各ＯＮＵ６０１からの上り信号送信タイミングおよび送信フレーム長は、ＭＰＣＰを用いてＯＬＴ６０３から制御される。帯域割当方法として、特許文献１のような技術がある。特許文献１によれば、１Ｇｂｐｓのバースト光信号と１０Ｇｂｐｓのバースト光信号とをまとめて配置することにより、デュアルレート受信器の対応ビットレート切り替え回数の削減による効率的な帯域割当が可能となる。
【００１２】
一般的に、ＯＬＴ６０３における受信器に同時に入力されるのは、１Ｇｂｐｓと１０Ｇｂｐｓのバースト光信号のうちのいずれか一方であり、使用していない受信器や信号処理回路は、省電力動作をすることが望ましい。
【００１３】
ＯＬＴ６０３における受信器は、図３におけるＡＰＤ８０１などのＯＥ変換素子、ＴＩＡ８０２、およびＬＡ８０３から成る高速アナログ回路部と、ＣＤＲ８０４ａ，８０４ｂ、ＰＣＳブロック８０５ａ，８０５ｂ、およびＭＡＣブロック８０６から成る高速ロジック回路部とにより構成される。
【００１４】
大きな省電力効果を得るには、高速アナログ回路部と高速ロジック回路部との両方を省電力動作させることが必要となる。
【００１５】
尚、複数のＯＮＵが光スプリッタを介して１つのＯＬＴに接続されたネットワーク構成において、各ＯＮＵの消費電力を低減することを目的とした技術が、特許文献３に開示されている。この技術において、各ＯＮＵは、ＯＬＴから受信した同報信号であるＰＤＳ（Passive Double Star）セルが自ＯＮＵ宛か他ＯＮＵ宛かを判定し、他ＯＮＵ宛の場合には、プロトコル処理を行わないだけではなく、クロック信号の供給を停止することによってプロトコル処理を行う回路の動作自体も停止する。これにより、ＯＮＵの消費電力を低減している。
【先行技術文献】
【特許文献】
【００１６】
【特許文献１】特開２００８−２７０８９８号公報
【特許文献２】特開２００８−２７７８９３号公報
【特許文献３】特開平１１−３１７７５９号公報
【非特許文献】
【００１７】
【非特許文献１】ＩＥＥＥ８０２．３ａｈ−２００４
【非特許文献２】ＩＥＥＥ８０２．３ａｖ−２００９
【非特許文献３】田島章雄 高橋成五,”１Ｇ／１０Ｇ共存を目指すバースト光受信技術,”BT-5-3，電子情報通信学会2009総合大会
【非特許文献４】鈴木巨生 他，”１０Ｇ−ＥＰＯＮ用１０．３Ｇ／１．２５ＧデュアルレートＣＤＲにおけるバースト同期時間の検討,”B-10-37，電子情報通信学会2010通信ソサイエティ大会
【発明の概要】
【発明が解決しようとする課題】
【００１８】
ＯＬＴにおける受信器を効率的に省電力動作させるためには、スリープ動作から通常動作への移行を高速に行うことが求められる。しかし、受信器全体の電源を切ると、通常動作への復帰時にＣＤＲ内のＶＣＯの発振周波数安定まで長時間かかり、その間バースト光信号の受信ができない。そのため従来の技術では、ＣＤＲ以降の回路部の省電力動作が困難であり、受信器全体、ひいてはＯＬＴ全体の低消費電力化を実現することができなかった。
【００１９】
それ故、本発明の課題は、省電力動作から通常動作への移行を高速に行うことができ、省電力効果が高められた、局舎装置における光受信器を提供することである。
【００２０】
本発明の他の課題は、上記のような光受信器を有する局舎装置を提供することである。
【００２１】
本発明のさらに他の課題は、上記のような局舎装置を有するＰＯＮシステムを提供することである。
【課題を解決するための手段】
【００２２】
本発明によれば、複数の加入者端末装置が光スプリッタを介してスター接続される局舎装置に用いられ、加入者端末装置からのバースト光信号を受信する光受信器であって、加入者端末装置からの光信号を電気信号に変換するＯＥ変換部と、前記ＯＥ変換部からの電気信号に同期したクロック信号を生成するクロック信号生成手段と、前記クロック信号生成手段からのクロック信号をトリガとして前記ＯＥ変換部からの電気信号の論理識別を行う識別手段と、前記加入者装置の信号送信タイミングの制御を行うと共に、前記識別手段によって論理識別された電気信号についてフレーム検知を行う受信信号処理手段とを有する光受信器において、前記クロック信号生成手段から前記識別手段へのクロック信号の供給の有無を切り替えるスイッチと、前記受信信号処理手段に接続され、前記スイッチを制御するクロック供給制御手段とをさらに有し、前記クロック供給制御手段は、光信号の光受信器への入力がない時間に、前記クロック信号生成手段から前記識別手段へのクロック信号の供給を遮断するように前記スイッチを制御することを特徴とする光受信器が得られる。
【００２３】
また、本発明によれば、複数の加入者端末装置が光スプリッタを介してスター接続される局舎装置に用いられ、加入者端末装置からのバースト光信号を受信する光受信器であって、加入者端末装置からの光信号を電気信号に変換するＯＥ変換部と、前記ＯＥ変換部からの電気信号に同期したクロック信号を生成するクロック信号生成手段と、前記クロック信号生成手段からのクロック信号をトリガとして前記ＯＥ変換部からの電気信号の論理識別を行う識別手段と、前記加入者装置の信号送信タイミングの制御を行うと共に、前記識別手段によって論理識別された電気信号についてフレーム検知を行う受信信号処理手段とを有する光受信器において、前記クロック信号生成手段は、入力電圧に応じて発振周波数が変化する電圧制御発振器であって、前記電圧制御発振器の出力クロック信号と前記電気信号増幅手段の出力信号との位相差に応じた電圧を発生する位相比較器と、前記クロック信号生成手段から前記識別手段および前記位相比較器の少なくとも一方へのクロック信号の供給の有無を切り替えるスイッチと、前記受信信号処理手段に接続され、前記スイッチを制御するクロック供給制御手段とをさらに有し、前記クロック供給制御手段は、光信号の光受信器への入力がない時間に、前記電圧制御発振器から前記識別手段および前記位相比較器の少なくとも一方へのクロック信号の供給を遮断するように前記スイッチを制御することを特徴とする光受信器が得られる。
【００２４】
本発明によればまた、前記光受信器と、前記複数の加入者端末装置に光信号を送信する光送信器とを有することを特徴とする局舎装置が得られる。
【００２５】
本発明によればさらに、前記局舎装置と、前記光スプリッタと、前記複数の加入者端末装置と、前記光スプリッタを介して前記局舎装置と前記複数の加入者端末装置とを接続する光伝送路とを有することを特徴とするＰＯＮシステムが得られる。
【発明の効果】
【００２６】
本発明は、省電力動作中に復帰に長時間かかるＶＣＯを駆動させ続けることにより、高速な復帰が可能となるため、省電力動作が可能な時間が増え、デジタル回路部を含む光受信器全体の低消費電力化を図ることができる。
【図面の簡単な説明】
【００２７】
【図１】一般的なＰＯＮシステムを示す図である。
【図２】一般的なバースト光信号の構成を示す図である。
【図３】図１に示されたＯＬＴにおける光受信器を示す図である。
【図４】図３に示された光受信器における１Ｇｂｐｓ用ＣＤＲを示すブロック図である。
【図５】本発明の実施例１による光受信器を示すブロック図である。
【図６】バースト光信号のＤＢＡサイクルに応じた図１に示された光受信器の動作を示すタイムチャートである。
【図７】バースト光信号の拡張されたＤＢＡサイクルに応じた図１に示された光受信器の動作を示すタイムチャートである。
【図８】本発明の実施例２による光受信器を示すブロック図である。
【図９】図８に示された１Ｇｂｐｓ用メモリの記憶内容の一例を示す表図である。
【図１０】バースト光信号のＤＢＡサイクルに応じた本発明の実施例３による光受信器の動作を示すタイムチャートである。
【図１１】本発明の実施例４による光受信器を示すブロック図である。
【図１２】バースト光信号のＤＢＡサイクルに応じた図１１に示された光受信器の動作を示すタイムチャートである。
【発明を実施するための形態】
【００２８】
次に、本発明の実施の形態について図面を参照して詳細に説明する。
【００２９】
本発明による光受信器は、複数の加入者端末装置が光スプリッタを介してスター接続される局舎装置に用いられ、加入者端末装置からのバースト光信号を受信する光受信器であって、加入者端末装置からの光信号を電気信号に変換するＯＥ変換部と、ＯＥ変換部からの電気信号に同期したクロック信号を生成するクロック信号生成手段と、クロック信号生成手段からのクロック信号をトリガとしてＯＥ変換部からの電気信号の論理識別を行う識別手段等のクロック信号に基づき動作する受信器構成要素と、加入者装置の信号送信タイミングの制御を行う受信信号処理手段とを有している。
【００３０】
特に、本光受信器において、クロック信号生成手段から識別手段等のクロック信号に基づき動作する受信器構成要素へのクロック信号の供給の有無を切り替えるスイッチと、受信信号処理手段に接続され、スイッチを制御するクロック供給制御手段とをさらに有している。クロック供給制御手段は、光受信器への光信号の入力の有無を受信信号処理手段から取得し、光信号の光受信器への入力がない時間に、クロック信号生成手段から識別手段等のクロック信号に基づき動作する受信器構成要素へのクロック信号の供給を遮断するようにスイッチを制御する。
【００３１】
上記構成により、本発明は、復帰に長時間かかるクロック信号のクロック信号生成手段を省電力動作中に駆動させ続けることにより、高速な復帰が可能となるため、省電力動作が可能な時間が増え、デジタル回路部を含む光受信器全体の低消費電力化を図ることができる。
【００３２】
以下、図面を参照して、本発明のより具体的な実施例を詳細に説明する。
【実施例１】
【００３３】
［構成］
本発明の実施例１による光受信器は、複数の加入者端末装置が光スプリッタを介してスター接続される局舎装置に用いられ、加入者端末装置からのバースト光信号を受信する光受信器である。本光受信器は、ＯＥ変換部と、クロック信号生成手段と、識別手段と、受信信号処理手段とを有している。
【００３４】
ＯＥ変換部は、加入者端末装置からの光信号を電気信号に変換する。クロック信号生成手段は、ＯＥ変換部からの電気信号に同期したクロック信号を生成する。識別手段は、クロック信号生成手段からのクロック信号をトリガとしてＯＥ変換部からの電気信号の論理識別を行う。受信信号処理手段は、加入者装置の信号送信タイミングの制御を行うと共に、識別手段によって論理識別された電気信号についてフレーム検知を行う。受信信号処理手段は、アクセス制御手段を含んでいる。アクセス制御手段は、各加入者端末装置からの光信号フレームに各加入者端末装置に固有の認証番号を付与すると共に、当該各光信号フレームの送信タイミングおよびフレーム長を決定し、認証番号ならびにバースト光信号の開始時刻と終了時刻を含むＤＢＡ情報を各加入者端末装置に通知する。
【００３５】
特に、本光受信器は、スイッチと、クロック供給制御手段とをさらに有している。
【００３６】
スイッチは、クロック信号生成手段から識別手段等のクロック信号に基づき動作する受信器構成要素へのクロック信号の供給の有無を切り替える。クロック供給制御手段は、受信信号処理手段に接続され、スイッチを制御する。
【００３７】
クロック供給制御手段は、光受信器への光信号の入力の有無を受信信号処理手段から取得し、光信号の光受信器への入力がない時間に、クロック信号生成手段から識別手段等のクロック信号に基づき動作する受信器構成要素へのクロック信号の供給を遮断するようにスイッチを制御する。
【００３８】
より具体的には、図５にと共に図１を援用して参照すると、本実施例のバースト光受信器は、複数のＯＮＵ６０１からのバースト光信号をバースト電気信号に変換するＯＥ変換部１０１と、バースト電気信号を増幅する電気信号増幅器１０２と、対応するビットレート毎に（１Ｇｂｐｓ用，１０Ｇｂｐｓ用）それぞれ、バースト電気信号に同期したクロック信号を再生するＰＬＬ１０３ａ，１０３ｂと、クロック信号により、バースト電気信号の論理判定を行い、シリアルデータを出力する識別手段としてのＦＦ（Flip Flop）１０４ａ，１０４ｂと、ＦＦ１０４ａ，１０４ｂから出力されるシリアル信号をパラレル変換するＳ／Ｐ（Serial to Parallel）変換部１０５ａ，１０５ｂと、バースト光信号フレームチェックを行う受信信号処理手段としてのＰＣＳブロック１０６ａ，１０６ｂと、ＰＬＬ１０３ａ，１０３ｂの動作の制御を行うクロック供給制御手段としての動作制御回路１０７ａ，１０７ｂと、各ＯＮＵへＬＬＩＤ（Logical Link IDentifier）の付与と送受信タイミングを管理・制御するアクセス制御手段としてのＭＡＣブロック１０８とを有している。
【００３９】
ＰＬＬ１０３ａ，１０３ｂは、位相比較器１１１ａ，１１１ｂと、ＬＰＦ１１２ａ，１１２ｂと、としてのクロック信号生成手段としてのＶＣＯ１１３ａ，１１３ｂと、ＶＣＯ１１３ａ，１１３ｂからのクロック信号の他のブロックへの供給の有無を切り替えるスイッチ（ＳＷ）１１４ａ，１１４ｂを備えている。
【００４０】
ＯＥ変換部１０１は、光ファイバを介して複数のＯＮＵ６０１に接続され、複数のＯＮＵ６０１から送信されるバースト光信号をバースト電気信号に変換し、バースト電気信号を電気信号増幅器１０２に供給する。
【００４１】
電気信号増幅器１０２は、ＯＥ変換部１０１から供給されるバースト電気信号を所定の振幅まで増幅し、増幅されたバースト電気信号を複数のビットレート毎に設置されるＰＬＬ１０３ａ，１０３ｂおよびＦＦ１０４ａ，１０４ｂに供給する。
【００４２】
ＰＬＬ１０３ａ，１０３ｂでは、位相比較器１１１ａ，１１１ｂにより、電気信号増幅器１０２出力と、ＶＣＯ１１３ａ，１１３ｂとのクロック位相差を検出して位相差に応じた電圧を発生させ、位相比較器１１１ａ，１１１ｂ出力をＬＰＦ１１２ａ，１１２ｂによって平滑化し、ＶＣＯ１１３ａ，１１３ｂにフィードバックをかけることにより、バースト電気信号に同期したクロックを抽出し、抽出したクロック信号をＦＦ１０４ａ，１０４ｂおよびＳ／Ｐ変換部１０５ａ，１０５ｂに供給する。
【００４３】
ＦＦ１０４ａ，１０４ｂは、ＰＬＬ１０３ａ，１０３ｂから供給されるクロック信号の立ち上がりをトリガとして、電気信号増幅器１０２から供給されるバースト電気信号の論理判定を行い、論理判定後のシリアルデータをＳ／Ｐ変換部１０５ａ，１０５ｂに供給する。
【００４４】
Ｓ／Ｐ変換部１０５ａ，１０５ｂは、ＰＬＬ１０３ａ，１０３ｂから供給されるクロック信号を用いて、シリアルデータをパラレル変換し、変換されたパラレルデータをＰＣＳブロック１０６ａ，１０６ｂに供給する。
【００４５】
ＰＣＳブロック１０６ａ，１０６ｂは、Ｓ／Ｐ変換部１０５ａ，１０５ｂから供給されるパラレルデータに対し、エラー訂正および信号検知、フレーム同期を行い、エラー訂正されたパラレルデータをＭＡＣブロック１０８に供給する。
【００４６】
ＭＡＣブロック１０８は、ＰＣＳブロック１０６ａ，１０６ｂから供給されたパラレルデータを、より上位のネットワークに転送する。また、各ＯＮＵ６０１からの帯域割当要求に応じて、ＤＢＡ（Dynamic Bandwidth Allocation、動的帯域割当）を行う。
【００４７】
動作制御回路１０７ａ，１０７ｂは、ＭＡＣブロック１０８からのＤＢＡ情報を参照してＰＣＳブロック１０６ａ，１０６ｂからのフレーム検知信号をトリガとして、ＳＷ１１４ａ，１１４ｂを制御するための制御信号を生成する。
【００４８】
ＳＷ１１４ａ，１１４ｂは、動作制御回路１０７ａ，１０７ｂから供給される制御信号に従ってｏｎ／ｏｆｆを切り替え、ＶＣＯ１１３ａ，１１３ｂから、位相比較器１１１ａ，１１１ｂ、ＦＦ１０４ａ，１０４ｂ、およびＳ／Ｐ変換部１０５ａ，１０５ｂへのクロック信号の供給の有無を切り替える。
【００４９】
［動作］
本実施例のバースト光受信器の動作を説明する。
【００５０】
一般に、ＰＯＮにおいて、ＯＬＴにおけるアクセス制御手段としてのＭＡＣブロックは、各ＯＮＵからの上り信号送信タイミングとフレーム長を決定し、ＯＬＴからＯＮＵへの下り信号を利用して各ＯＮＵに、バースト光信号の開始時刻と終了時刻を含むＤＢＡ情報を通知する。本発明によるバースト光受信器（のＭＡＣブロック１０８）は、各ＯＮＵ６０１にＤＢＡ情報を通知すると同時に、動作制御回路１０７ａ，１０７ｂにもＤＢＡ情報を通知する。このとき、図６に示されるように、１Ｇｂｐｓのバースト光信号を送信するＯＮＵと、１０Ｇｂｐｓのバースト光信号を送信するＯＮＵとをグルーピングすることにより、受信器の切り替え回数を減らし、セットアップにかかるオーバーヘッドを抑制することにより、効果的な省電力動作が可能となる。さらに図７に示されるように、帯域に余裕のある場合は無信号区間を作るように各ＯＮＵ６０１のバースト光信号送信タイミングを設定することにより、１Ｇｂｐｓ用受信器と１０Ｇｂｐｓ用受信器の両方の省電力動作が可能となる。
【００５１】
動作制御回路１０７ａ，１０７ｂは、ＭＡＣブロック１０８から受け取ったＤＢＡ情報から、１Ｇｂｐｓのバースト光信号と１０Ｇｂｐｓのバースト光信号それぞれの開始時刻と終了時刻を読み取り、使用しないビットレートに対応する受信器構成要素を省電力動作させるよう制御を行う。具体的には、使用しないビットレートに対応するＯＥ変換部１０１と電気信号増幅器１０２のバイアス電源を切ると共に、位相比較器１１１ａ，１１１ｂ、ＦＦ１０４ａ，１０４ｂ、およびＳ／Ｐ変換部１０５ａ，１０５ｂへのクロック信号の供給の遮断を行う。ＰＣＳブロック１０６ａ，１０６ｂとＭＡＣブロック１０８は、受信したバースト光信号の信号処理が終わり次第、順次省電力動作へ移行させる。
【００５２】
このとき、ＰＣＳブロック１０６ａ，１０６ｂからの信号検知をトリガとして、位相比較器１１１ａ，１１１ｂ、ＦＦ１０４ａ，１０４ｂ、およびＳ／Ｐ変換部１０５ａ，１０５ｂへのクロック信号の供給の遮断を行うことにより、確実に信号の破損を生じることなく省電力動作が可能となる。ＰＣＳブロック１０６ａ，１０６ｂは、バースト光信号に含まれるデリミタ７０２およびＥｏＢ７０４を検知する。動作制御回路１０７ａ，１０７ｂは、ＰＣＳブロック１０６ａ，１０６ｂによる連続する同じビットレートのバースト光信号群の最後のバースト光信号のＥｏＢ７０４の検知をトリガとして、ＯＥ変換部１０１と電気信号増幅器１０２のバイアス電源を切ると共に、位相比較器１１１ａ，１１１ｂ、ＦＦ１０４ａ，１０４ｂ、およびＳ／Ｐ変換部１０５ａ，１０５ｂへのクロック信号の供給の遮断を行う。
【００５３】
省電力動作からの復帰時は、ＭＡＣブロック１０８から動作制御回路１０７ａ，１０７ｂを通じて、ＯＥ変換部１０１と電気信号増幅器１０２の電源を入れ、ＳＷ１１４ａ，１１４ｂを制御して位相比較器１１１ａ，１１１ｂ、ＦＦ１０４ａ，１０４ｂ、およびＳ／Ｐ変換部１０５ａ，１０５ｂへのクロック信号の供給を再開する。
【００５４】
以上の動作により、復帰に長時間必要となるＶＣＯ１１３ａ，１１３ｂを駆動させ続けることにより、高速に復帰可能な省電力動作を行うことができるバースト光受信器が実現できる。
【実施例２】
【００５５】
本発明の実施例２による光受信器は、省電力動作時のクロック信号生成手段の駆動電圧を制御する電圧制御手段を有している点が実施例１とは異なっている。このため、実施例１と同一または同様の部分については、詳細な説明を省略する。
【００５６】
実施例１では、ＶＣＯ１１３ａ，１１３ｂは、フリーラン状態またはRef. Clk（基準クロック）に同期したまま駆動する構成となっている。しかし、一般的には各ＯＮＵ６０１から送信されるバースト光信号のクロックは僅かにズレていることが多い。具体的には、非特許文献２によるＰＯＮシステムでは、ビットレート１０．３１２５Ｇｂｐｓに対し、±１００ｐｐｍの誤差が許容されている。
【００５７】
図８に示されるように、本発明の実施例２による光受信器は、実施例１の構成に加え、クロック信号生成手段としてのＶＣＯ１１３ａ，１１３ｂの駆動電圧を監視するモニタ４０１ａ，４０１ｂと、各ＯＮＵ６０１に適したＶＣＯ発振電圧を記憶するメモリ４０２ａ，４０２ｂと、任意の電圧を発生させることが可能な電圧発生器４０３ａ，４０３ｂとを、省電力動作時のＶＣＯ駆動電圧を制御する電圧制御手段として備えている。
【００５８】
ＭＡＣブロック１０８は、ＤＢＡ情報を、モニタ４０１ａ，４０１ｂにも通知する。
【００５９】
モニタ４０１ａ，４０１ｂは、ＭＡＣブロック１０８からＤＢＡ情報を受け取り、各ＯＮＵ６０１からのバースト光信号の受信中に該バースト光信号のデリミタ７０２からＥｏＢ７０４までの期間の平均電圧を、ＶＣＯ１１３ａ，１１３ｂの駆動電圧の監視結果として取得し、この監視結果を図９に示されるように、ＭＡＣブロック１０８によって付与され、ＤＢＡ情報に含まれる各ＯＮＵ６０１のＬＬＩＤと関連付けてメモリ４０２ａ，４０２ｂに記憶する。
【００６０】
省電力動作中、電圧発生器４０３ａ，４０３ｂは、省電力動作復帰直後に到来するＯＮＵ６０１のＬＬＩＤに対応した電圧をメモリ４０２ａ，４０２ｂから読み出し、ＶＣＯ１１３ａ，１１３ｂに供給する。その他の機能ブロックの動作は、実施例１と同様である。
【００６１】
以上の動作により、省電力動作中のＶＣＯ１１３ａ，１１３ｂの周波数が、省電力動作復帰直後に到来するバースト光信号に適した周波数で予め安定していることになり、より高速な復帰が可能となる。
【実施例３】
【００６２】
本発明の実施例３による光受信器は、二段階の省電力動作を実行する点が、実施例１、２とは異なっている。このため、実施例１、２と同一または同様の部分については、詳細な説明を省略する。
【００６３】
本発明による受信器が設置されるＰＯＮシステムのＤＢＡサイクルが長い場合、１Ｇｂｐｓ用受信部と１０Ｇｂｐｓ用受信部の少なくともいずれか一方が長時間省電力動作となる場合が考えられる。特に、ＶＣＯ１１３ａ，１１３ｂの起動時間よりも省電力動作時間の方が長い場合に、実施例１または実施例２の動作に加え、ＶＣＯ１１３ａ，１１３ｂへの電源供給を遮断することによってＶＣＯ１１３ａ，１１３ｂ自体の動作を停止することにより、省電力効果をより高めることができる。尚、実施例１の図５、実施例２の図８には図示されていないが、本実施例の光受信器は、ＶＣＯ１１３ａ，１１３ｂへの電源供給の有無を切り替える電源スイッチをそれぞれ有している。これら電源スイッチは、動作制御回路１０７ａ，１０７ｂによって開閉が制御されるようになっている。
【００６４】
実施例１または２による省電力動作を省電力動作１とし、ＶＣＯ１１３ａ，１１３ｂの電源供給を切る省電力動作を省電力動作２とし、ＶＣＯ１１３ａ，１１３ｂに電源を供給してから発振周波数が信号周波数付近で安定するまでの時間をＴ_ＶＣＯとすると、本実施例の省電力動作は図１０のようになる。
【００６５】
動作制御回路１０７ａ，１０７ｂは、ＭＡＣブロック１０８からのＤＢＡ情報により、省電力動作の継続時間Ｔ_ｓｌｅｅｐを計算し、連続する同じビットレートの最後のバースト光信号のＥｏＢ７０４検知後、
Ｔ_ｓｌｅｅｐ  ＞  Ｔ_ＶＣＯ  ・・・（式１）
であれば省電力動作２の動作に移行させる。省電力動作２に移行した後、
Ｔ_ｓｌｅｅｐ  −  Ｔ_ＶＣＯ  ・・・（式２）
の時間経過後、省電力動作１へ移行し、実施例１または２に示された動作を行う。
【００６６】
以上により、長時間の省電力動作時にＶＣＯ１１３ａ，１１３ｂの電源を切ることが可能となり、より大きな省電力効果を得ることができる。
【実施例４】
【００６７】
本発明の実施例４による光受信器は、デュアルレート対応のＣＤＲを有する点が実施例１〜３とは異なっている。このため、実施例１〜３と同一または同様の部分については、詳細な説明を省略する。
【００６８】
本発明は、非特許文献４に示されるような１Ｇｂｐｓ／１０Ｇｂｐｓデュアルレート対応のＰＬＬによるＣＤＲを用いた場合にも適用可能である。
【００６９】
本実施例のバースト光受信器は、図１１に示されるように、図５に示された実施例１の位相比較器１１１ａ，１１１ｂを含むＰＬＬ１０３ａ，１０３ｂ、ＦＦ１０４ａ，１０４ｂ、Ｓ／Ｐ変換部１０５ａ，１０５ｂ、ＰＣＳブロック１０６ａ，１０６ｂ、および動作制御回路１０７ａ，１０７ｂに代わり、図示しないデュアルレート用位相比較器１１１ａ，１１１ｂを含むデュアルレート用ＰＬＬ１０３ｃ、識別手段としてのデュアルレート用サンプリング回路１０４ｃ、デュアルレート用Ｓ／Ｐ変換部１０５ｃ、受信信号処理手段としてのデュアルレート用ＰＣＳブロック１０６ｃ、およびクロック供給制御手段としてのデュアルレート用動作制御回路１０７ｃを有していると共に、デュアルレート用サンプリング回路１０４ｃ出力のうち最適なサンプリング位相での出力を選択するセレクタ１０９をさらに有している。
【００７０】
デュアルレート用ＰＬＬ１０３ｃは、多相クロック生成回路１１３ｃと、デュアルレート用ＳＷ１１４ｃとを有している。デュアルレート用ＰＬＬ１０３ｃは、デュアルレート用ＳＷ１１４ｃを介してデュアルレート用サンプリング回路１０４ｃおよびデュアルレート用Ｓ／Ｐ変換部１０５ｃに、１０Ｇｂｐｓ多相クロックを供給する。
【００７１】
デュアルレート用サンプリング回路１０４ｃは、電気信号増幅器出力に対し多相サンプリングを行い、サンプリング結果をセレクタ１０９に供給する。
【００７２】
セレクタ１０９は、供給されたサンプリング結果からもっとも受信特性の良い位相のサンプリング結果を選択し、選択したサンプリング結果をデュアルレート用Ｓ／Ｐ変換部１０５ｃに供給する。
【００７３】
デュアルレート用Ｓ／Ｐ変換部１０５ｃ、デュアルレート用ＰＣＳブロック１０６ｃ、およびＭＡＣブロック１０８の動作は、実施例１におけるＳ／Ｐ変換部１０５ａ，１０５ｂ、ＰＣＳブロック１０６ａ，１０６ｂ、およびＭＡＣブロック１０８と同様である。
【００７４】
本実施例では、デュアルレート用動作制御回路１０７ｃが、ＤＢＡサイクル中の最後のバーストのＥｏＢ検知信号をデュアルレート用ＰＣＳブロック１０６ｃから受けた後、デュアルレート用ＳＷ１１４ｃを制御し、デュアルレート用サンプリング回路１０４ｃおよびデュアルレート用Ｓ／Ｐ変換部１０５ｃへのクロック信号の供給を遮断することで省電力動作を行う。
【００７５】
また、１Ｇｂｐｓのバースト光信号受信中に、受信特性に問題がない範囲で、多相クロック生成回路１１３ｃからの１０Ｇｂｐｓ多相クロック信号のうちのいくつかの出力を遮断して、デュアルレート用サンプリング回路１０４ｃに供給するようにデュアルレート用ＳＷ１１４ｃを制御してもよい。この動作により、デュアルレート用サンプリング回路１０４ｃのサンプリング数を減少させることにより、省電力効果を得ることができる。
【００７６】
例えば、１．２５Ｇｂｐｓ／１０．３１２５Ｇｂｐｓのデュアルレートで、多相クロック生成回路１１３ｃ出力が８相の並列クロック信号であった場合、この並列クロックのうちの１つのみをデュアルレート用サンプリング回路１０４ｃに供給すると、基準クロックの違いにより１．２５Ｇｂｐｓ受信時に最適位相が徐々にズレる。しかし、セレクタ１０９が適宜最適な位相でのサンプリング結果を選択するため、バースト光信号の受信が可能である。本実施例を用いる場合のＤＢＡと、バースト光受信器の動作を図１２に示す。
【００７７】
本実施例により、デュアルレート対応のＣＤＲを用いた場合でも、通常動作への高速な復帰が可能な省電力動作を行うことができる。
【００７８】
以上、幾つかの実施例を参照して本発明を説明したが、本発明の構成や詳細については、当業者が理解し得る様々な変更を加えることができる。また、本発明には、上記各実施例の構成の一部または全部を相互に適宜組み合わせたものも含まれる。
【００７９】
以上説明した実施例の一部または全部は、以下の付記のようにも記載され得るが、以下には限られない。
【００８０】
（付記１）複数の加入者端末装置が光スプリッタを介してスター接続される局舎装置に用いられ、加入者端末装置からのバースト光信号を受信する光受信器であって、加入者端末装置からの光信号を電気信号に変換するＯＥ変換部と、前記ＯＥ変換部からの電気信号に同期したクロック信号を生成するクロック信号生成手段と、前記クロック信号生成手段からのクロック信号をトリガとして前記ＯＥ変換部からの電気信号の論理識別を行う識別手段と、前記加入者装置の信号送信タイミングの制御を行うと共に、前記識別手段によって論理識別された電気信号についてフレーム検知を行う受信信号処理手段とを有する光受信器において、前記クロック信号生成手段から前記識別手段へのクロック信号の供給の有無を切り替えるスイッチと、前記受信信号処理手段に接続され、前記スイッチを制御するクロック供給制御手段とをさらに有し、前記クロック供給制御手段は、光受信器への光信号の入力の有無を前記受信信号処理手段から取得し、光信号の光受信器への入力がない時間に、前記クロック信号生成手段から前記識別手段へのクロック信号の供給を遮断するように前記スイッチを制御することを特徴とする光受信器（実施例１）。
【００８１】
（付記２）複数の加入者端末装置が光スプリッタを介してスター接続される局舎装置に用いられ、加入者端末装置からのバースト光信号を受信する光受信器であって、加入者端末装置からの光信号を電気信号に変換するＯＥ変換部と、前記ＯＥ変換部からの電気信号に同期したクロック信号を生成するクロック信号生成手段と、
前記クロック信号生成手段からのクロック信号をトリガとして前記ＯＥ変換部からの電気信号の論理識別を行う識別手段と、前記加入者装置の信号送信タイミングの制御を行うと共に、前記識別手段によって論理識別された電気信号についてフレーム検知を行う受信信号処理手段とを有する光受信器において、前記クロック信号生成手段は、入力電圧に応じて発振周波数が変化する電圧制御発振器であって、前記電圧制御発振器の出力クロック信号と前記電気信号増幅手段の出力信号との位相差に応じた電圧を発生する位相比較器と、前記クロック信号生成手段から前記識別手段および前記位相比較器の少なくとも一方へのクロック信号の供給の有無を切り替えるスイッチと、前記受信信号処理手段に接続され、前記スイッチを制御するクロック供給制御手段とをさらに有し、前記クロック供給制御手段は、光受信器への光信号の入力の有無を前記受信信号処理手段から取得し、光信号の光受信器への入力がない時間に、前記電圧制御発振器から前記識別手段および前記位相比較器の少なくとも一方へのクロック信号の供給を遮断するように前記スイッチを制御することを特徴とする光受信器（実施例１）。
【００８２】
（付記３）前記バースト光信号は、その終了を示すビット列であるＥｏＢを含み、前記受信信号処理手段は、前記ＥｏＢを検知し、その旨を示すＥｏＢ検知信号を出力するものであると共に、アクセス制御手段を含み、前記アクセス制御手段は、前記各加入者端末装置からの光信号フレームに各加入者端末装置に固有の認証番号を付与すると共に、当該各光信号フレームの送信タイミングおよびフレーム長を決定し、前記認証番号ならびにバースト光信号の開始時刻と終了時刻を含むＤＢＡ情報を前記各加入者端末装置に通知するものであり、前記アクセス制御手段は、前記ＤＢＡ情報を前記クロック供給制御手段にも通知するものであり、前記クロック供給制御手段は、前記アクセス制御手段からの前記ＤＢＡ情報を参照すると共に、前記受信信号処理手段からの前記ＥｏＢ検知信号をトリガとすることにより、前記受信信号処理手段から前記ＥｏＢ検知信号が出力された後に、前記クロック信号生成手段から前記識別手段、または、前記クロック信号生成手段から前記識別手段および前記位相比較器の少なくとも一方へのクロック信号の供給を遮断するように前記スイッチを制御する付記１または２の光受信器（実施例１）。
【００８３】
（付記４）前記クロック信号生成手段の駆動電圧を制御する電圧制御手段をさらに有し、前記アクセス制御手段は、前記ＤＢＡ情報を前記電圧制御手段にも通知するものであり、前記電圧制御手段は、前記クロック信号生成手段の駆動電圧を監視すると共に、前記アクセス制御手段からの前記ＤＢＡ情報を受け付けるモニタと、前記モニタで監視した電圧を、前記各加入者端末装置に固有の認証番号に関連付けて記憶する記憶手段と、任意の電圧を発生させ前記クロック信号生成手段を駆動する電圧発生手段とを備え、前記電圧発生手段は、前記光受信器へのバースト光信号の入力がない時間に、次に入力されるべきバースト光信号を送信する加入者端末装置の認証番号に対応した電圧で、前記クロック信号生成手段を駆動する付記３の光受信器（実施例２）。
【００８４】
（付記５）前記バースト光信号は、その終了を示すビット列であるＥｏＢと、ペイロードの先頭を示すビット列であるデリミタとを含み、前記電圧制御手段の前記記憶手段に記憶される前記各加入者端末装置の認証番号に関連付けて記憶される電圧は、当該加入者端末装置が前回送信したバースト光信号の前記ＥｏＢから前記デリミタまでの期間の平均電圧である付記４の光受信器（実施例２）。
【００８５】
（付記６）前記クロック信号生成手段への電源供給の有無を切り替える電源スイッチをさらに有し、前記クロック供給制御手段は、前記クロック信号生成手段を駆動開始から当該クロックによって光信号を受信可能となるまでの安定化時間以上に前記光受信器への光信号の入力がない場合に、前記クロック信号生成手段の電源供給を遮断するように前記電源スイッチを制御する付記１乃至５のいずれか１つの光受信器（実施例３）。
【００８６】
（付記７）前記識別手段によって論理識別された電気信号をパラレル変換して前記受信信号処理手段に供給するＳ／Ｐ変換手段をさらに有し、前記クロック供給制御手段は、光信号の光受信器への入力がない時間に、前記電圧制御発振器から前記識別手段、前記位相比較器、および前記Ｓ／Ｐ変換手段の少なくとも１つへのクロック信号の供給を遮断するように前記スイッチを制御する付記１乃至６のいずれか１つの光受信器（実施例１〜３）。
【００８７】
（付記８）異なる複数のビットレートに対応して、・複数の前記クロック信号生成手段、複数の前記受信信号処理手段、複数の前記識別手段、複数の前記スイッチ、および複数の前記クロック供給制御手段、・複数の前記クロック信号生成手段、複数の前記受信信号処理手段、複数の前記識別手段、複数の前記スイッチ、複数の前記クロック供給制御手段、および複数の前記位相比較器、もしくは、・複数の前記クロック信号生成手段、複数の前記受信信号処理手段、複数の前記識別手段、複数の前記スイッチ、複数の前記クロック供給制御手段、複数の前記位相比較器、および複数の前記Ｓ／Ｐ変換手段を有し、前記各クロック供給制御手段は、該当するビットレートの光信号の光受信器への入力がない時間に、・当該ビットレートに対応した前記クロック信号生成手段から前記識別手段へのクロック信号の供給、・当該ビットレートに対応した前記クロック信号生成手段から前記識別手段および前記位相比較器の少なくとも一方へのクロック信号の供給、もしくは、・当該ビットレートに対応した前記クロック信号生成手段から前記識別手段、前記位相比較器、および前記Ｓ／Ｐ変換手段の少なくともいずれか１つへのクロック信号の供給を遮断するように前記スイッチを制御する付記１乃至７のいずれか１つの光受信器（実施例１〜３）。
【００８８】
（付記９）異なる複数のビットレートに対応して、・前記クロック信号生成手段としての、複数の位相で並列に供給される多相クロック信号を生成する多相クロック信号生成手段、前記受信信号処理手段としてのマルチレート用受信信号処理手段、前記識別手段としてのマルチレート用識別手段、前記スイッチとしてのマルチレート用スイッチ、および前記クロック供給制御手段としてのマルチレート用クロック供給制御手段、・前記クロック信号生成手段としての、複数の位相で並列に供給される多相クロック信号を生成する多相クロック信号生成手段、前記受信信号処理手段としてのマルチレート用受信信号処理手段、前記識別手段としてのマルチレート用識別手段、前記スイッチとしてのマルチレート用スイッチ、前記クロック供給制御手段としてのマルチレート用クロック供給制御手段、および前記位相比較器としてのマルチレート用位相比較器、もしくは、・前記クロック信号生成手段としての、複数の位相で並列に供給される多相クロック信号を生成する多相クロック信号生成手段、前記受信信号処理手段としてのマルチレート用受信信号処理手段、前記識別手段としてのマルチレート用識別手段、前記スイッチとしてのマルチレート用スイッチ、前記クロック供給制御手段としてのマルチレート用クロック供給制御手段、前記位相比較器としてのマルチレート用位相比較器、および前記Ｓ／Ｐ変換手段としてのマルチレート用Ｓ／Ｐ変換手段を有し、前記各マルチレート用クロック供給制御手段は、複数のビットレートのうちの低ビットレートの光信号が光受信器に入力されるときに、・前記多相クロック信号生成手段から前記マルチレート用識別手段への、多相クロック信号のうちの高ビットレートのクロックのうちの少なくとも一部の供給、・前記多相クロック信号生成手段から前記マルチレート用識別手段および前記位相比較器の少なくとも一方への、多相クロック信号のうちの高ビットレートのクロックのうちの少なくとも一部の供給、もしくは、・前記多相クロック信号生成手段から前記マルチレート用識別手段、前記位相比較器、および前記Ｓ／Ｐ変換手段の少なくともいずれか１つへの、多相クロック信号のうちの高ビットレートのクロックのうちの少なくとも一部の供給を遮断するように前記マルチレート用スイッチを制御する付記１乃至７のいずれか１つの光受信器（実施例４）。
【００８９】
（付記１０）付記１乃至９のいずれか１つの光受信器と、前記複数の加入者端末装置に光信号を送信する光送信器とを有することを特徴とする局舎装置（実施例１〜４）。
【００９０】
（付記１１）付記１０の局舎装置と、前記光スプリッタと、前記複数の加入者端末装置と、前記光スプリッタを介して前記局舎装置と前記複数の加入者端末装置とを接続する光伝送路とを有することを特徴とするＰＯＮシステム（実施例１〜４）。
【産業上の利用可能性】
【００９１】
以上説明した実施例に限定されることなく、本発明は、ＰＯＮシステムのＯＬＴに用いられるバースト光受信器全般に利用可能である。特許請求の範囲に記載された技術範囲内であれば、種々の変形が可能であることは云うまでもない。
【符号の説明】
【００９２】
１０１  ＯＥ変換部
１０２  電気信号増幅器
１０３ａ  １Ｇｂｐｓ用ＰＬＬ
１０３ｂ  １０Ｇｂｐｓ用ＰＬＬ
１０３ｃ  デュアルレート用ＰＬＬ
１０４ａ  １Ｇｂｐｓ用ＦＦ
１０４ｂ  １０Ｇｂｐｓ用ＦＦ
１０４ｃ  デュアルレート用サンプリング回路
１０５ａ  １Ｇｂｐｓ用Ｓ／Ｐ変換部
１０５ｂ  １０Ｇｂｐｓ用Ｓ／Ｐ変換部
１０５ｃ  デュアルレート用Ｓ／Ｐ変換部
１０６ａ  １Ｇｂｐｓ用ＰＣＳブロック
１０６ｂ  １０Ｇｂｐｓ用ＰＣＳブロック
１０６ｃ  デュアルレート用ＰＣＳブロック
１０７ａ  １Ｇｂｐｓ用動作制御回路
１０７ｂ  １０Ｇｂｐｓ用動作制御回路
１０７ｃ  デュアルレート用動作制御回路
１０８  ＭＡＣブロック
１０９  セレクタ
１１１ａ  １Ｇｂｐｓ用位相比較器
１１１ｂ  １０Ｇｂｐｓ用位相比較器
１１２ａ  １Ｇｂｐｓ用ＬＰＦ
１１２ｂ  １０Ｇｂｐｓ用ＬＰＦ
１１３ａ  １Ｇｂｐｓ用ＶＣＯ
１１３ｂ  １０Ｇｂｐｓ用ＶＣＯ
１１３ｃ  多相クロック生成回路
１１４ａ  １Ｇｂｐｓ用ＳＷ
１１４ｂ  １０Ｇｂｐｓ用ＳＷ
１１４ｃ  デュアルレート用ＳＷ
４０１ａ  １Ｇｂｐｓ用モニタ
４０１ｂ  １０Ｇｂｐｓ用モニタ
４０２ａ  １Ｇｂｐｓ用メモリ
４０２ｂ  １０Ｇｂｐｓ用メモリ
４０３ａ  １Ｇｂｐｓ用電圧発生器
４０３ｂ  １０Ｇｂｐｓ用電圧発生器
６０１  ＯＮＵ
６０２  光スプリッタ
６０３  ＯＬＴ
７０１  プリアンブル
７０２  デリミタ
７０３  ペイロード
７０４  ＥｏＢ
８０１  ＡＰＤ
８０２  ＴＩＡ
８０３  ＬＡ
８０４ａ  １Ｇｂｐｓ用ＣＤＲ
８０４ｂ  １０Ｇｂｐｓ用ＣＤＲ
８０５ａ  １Ｇｂｐｓ用ＰＣＳブロック
８０５ｂ  １０Ｇｂｐｓ用ＰＣＳブロック
８０６  ＭＡＣ
９０１  ＰＬＬ
９０２  ＦＦ
９０３  位相比較器
９０４  ＬＰＦ
９０５  ＶＣＯ
【図１】
0005720883.tif 000002
【図２】
0005720883.tif 000003
【図３】
0005720883.tif 000004
【図４】
0005720883.tif 000005
【図５】
0005720883.tif 000006
【図６】
0005720883.tif 000007
【図７】
0005720883.tif 000008
【図８】
0005720883.tif 000009
【図９】
0005720883.tif 000010
【図１０】
0005720883.tif 000011
【図１１】
0005720883.tif 000012
【図１２】
0005720883.tif 000013